(57)【要約】【課題】製品コストを抑制しつつ、良好な熱交換器への通気性と、熱交換器の適切な保護とを両立した空気調和機の室外機を提供する。【解決手段】空気調和機の室外機１は、複数のフィン２ａ及び複数のフィン２ａを貫通する伝熱管２ｂを有する熱交換器２と、熱交換器２を収納し、かつ、熱交換器２に対して空気を流入する吸気用開口３ａを有するケーシング３と、吸気用開口３ａに対向した保護網１０とを有している。保護網１０には、ケーシング３の内部に向かって延びて形成され、かつ、熱交換器２に支持された状態でスライド自在なスライド桟１５が設けられており、スライド桟１５を熱交換器２と接触しつつケーシング３の内部から引き出すことにより保護網１０と吸気用開口３ａとの距離を変更自在にした。【選択図】図４
2010203720.tif 000002
【特許請求の範囲】
【請求項１】
複数のフィン及び前記複数のフィンを貫通する伝熱管を有する熱交換器と、
前記熱交換器を収納し、かつ、前記熱交換器に対して空気を流入する開口を有するケーシングと、
前記開口に対向した保護網とを備えてなり、
前記保護網には、前記ケーシングの内部に向かって延びて形成され、かつ、前記熱交換器に支持された状態でスライド自在なスライド桟が設けられており、
前記スライド桟を前記熱交換器と接触しつつ前記ケーシングの内部から引き出すことにより前記保護網と前記開口との距離を変更自在に構成されていることを特徴とする空気調和機の室外機。
【請求項２】
前記スライド桟は前記フィン同士の間隙に挿入されており、
前記スライド桟は、前記フィンによりスライド方向がガイドされるように構成されている請求項１に記載の空気調和機の室外機。
【請求項３】
前記スライド桟の先端部には、前記保護網を引き出した際に前記熱交換器の一部と係合して、前記保護網が前記開口から所定距離以上離間することを規制する規制部が設けられている請求項１又は２に記載の空気調和機の室外機。
【請求項４】
前記規制部は、前記保護網を引き出した際に前記伝熱管と係合することによって規制するものである請求項３に記載の空気調和機の室外機。
【請求項５】
前記スライド桟の先端部には、前記保護網と前記伝熱管とを固定するために前記伝熱管に嵌め込まれる嵌合固定部が設けられている請求項４に記載の空気調和機の室外機。
【請求項６】
前記スライド桟が前記保護網に複数設けられている請求項１〜５のいずれかに記載の空気調和機の室外機。
【請求項７】
前記開口は前記ケーシングの側面に設けられており、
前記スライド桟は、前記保護網の上下方向中央部より上方に設けられている請求項１〜６のいずれかに記載の空気調和機の室外機。
【請求項８】
前記スライド桟は、前記保護網の上下方向中央部より下方に更に設けられている請求項７に記載の空気調和機の室外機。
【請求項９】
前記保護網には、当該保護網の端部に設けられて当該端部に沿った軸を中心に回転自在に設けられた側面網が設けられており、
前記側面網は、前記保護網に積層配置可能であるとともに、前記保護網が前記開口から所定距離離間された状態で前記保護網の端部から前記開口に向かって延びて固定される請求項１〜８のいずれかに記載の空気調和機の室外機。
【請求項１０】
前記側面網は、前記保護網が前記開口から所定距離離間された状態で前記保護網の端部から前記開口の縁までを覆うように固定される請求項９に記載の空気調和機の室外機。
【請求項１１】
前記側面網の開口率は、前記保護網の開口率よりも小さく設定されている請求項９又は１０に記載の空気調和機の室外機。
【発明の詳細な説明】
【技術分野】
【０００１】
この発明は、冷媒と外気との熱交換を行う熱交換器を備えた空気調和機の室外機に関する。
【背景技術】
【０００２】
空気調和機の室外機は、外気及び冷媒の熱交換率を向上させる複数のフィンとこれらフィンを貫通し冷媒が供給される伝熱管とを有する熱交換器が、ケーシング内部におけるケーシングの開口近傍に収納されており、ケーシングの開口から外気を吸い込み、外気と冷媒との熱交換を熱交換器で行って、冷媒を加熱又は冷却するものである。
【０００３】
特許文献１に例示する従来の空気調和機の室外機では、熱交換器がケーシングの開口から露出しており、熱交換器に対して物が接触するおそれがあることから、熱交換器を保護するために、ケーシングの開口を覆う保護網が設けられている。
【先行技術文献】
【特許文献】
【０００４】
【特許文献１】特開２００６−１２５７１２号公報
【発明の概要】
【発明が解決しようとする課題】
【０００５】
しかしながら、従来の保護網は、熱交換器への通気性を確保するために、網の目が大きく（すなわち開口率が高く）構成されていることが通例であり、開口近傍に配置されていることから、熱交換器を十分に保護できるものではなかった。熱交換器を十分に保護するためには、網の目を小さく（すなわち開口率を低く）構成する必要があるが、そうすると熱交換器への通気性が悪化し、熱交換器の性能を損なうという課題がある。
【０００６】
そこで、本発明の発明者は、保護網をケーシングの開口から所定距離離間させた状態にすると、良好な通気性と熱交換器の適切な保護とを両立させることが可能となると着想した。しかしながら、保護網を離間させた状態でケーシングに固定すると、室外機全体の寸法が大きくなり、輸送費や梱包等のコストが増加してしまうという課題が生じた。
【０００７】
本発明の目的は、このような新たな見地および課題に基づいて、製品コストを抑制しつつ、良好な熱交換器への通気性と、熱交換器の適切な保護とを両立した空気調和機の室外機を提供することを目的とする。
【課題を解決するための手段】
【０００８】
本発明は、かかる目的を達成するために、次のような手段を講じたものである。
すなわち、第１の発明に係る空気調和機の室外機は、複数のフィン及び前記複数のフィンを貫通する伝熱管を有する熱交換器と、前記熱交換器を収納し、かつ、前記熱交換器に対して空気を流入する開口を有するケーシングと、前記開口に対向した保護網とを備えてなり、前記保護網には、前記ケーシングの内部に向かって延びて形成され、かつ、前記伝熱管に支持された状態でスライド自在なスライド桟が設けられており、前記スライド桟を前記伝熱管と接触しつつ前記ケーシングの内部から引き出すことにより前記保護網と前記開口との距離を変更自在に構成されていることを特徴とする。
【０００９】
この空気調和機の室外機では、保護網に設けられるスライド桟がケーシングの内部に向かって延びて形成され、このスライド桟を伝熱管に支持された状態でスライド自在に構成しているため、新たなスライド機構を追加することなく、伝熱管をスライド機構の一部として有効利用して製品コストを抑制することができる。
また、スライド桟を伝熱管と接触しつつケーシングの内部から引き出すことにより保護網と開口との距離を変更自在に構成しているため、例えば指のみが保護網の網目を通過したとしても熱交換器に到達しないように、保護網と開口との距離を所定距離確保することができ、保護網の開口率を小さくすることによる熱交換器の性能の低下の回避と、指等の熱交換器への接触を防止することによる安全性の確保と、熱交換器の適切な保護とを両立することができる。
【００１０】
第２の発明に係る空気調和機の室外機は、前記スライド桟は前記フィン同士の間隙に挿入されており、前記スライド桟は、前記フィンによりスライド方向がガイドされるように構成されている。
【００１１】
この空気調和機の室外機では、熱交換器のフィンがスライド桟のスライド方向をガイドするため、保護網が引き出し時にぶれることを防止できるとともに、フィンをスライドのガイド機構として有効利用して製造コストを抑制することができる。
【００１２】
第３の発明に係る空気調和機の室外機は、前記スライド桟の先端部には、前記保護網を引き出した際に前記熱交換器の一部と係合して、前記保護網が前記開口から所定距離以上離間することを規制する規制部が設けられている。
【００１３】
この空気調和機の室外機では、保護網を引き出した際に規制部が熱交換器の一部と係合して、保護網が開口から所定距離以上離間することを規制するため、保護網を引き出す際に不意にスライド桟が熱交換器から抜けてしまうことを防止することができる。
【００１４】
第４の発明に係る空気調和機の室外機は、前記規制部は、前記保護網を引き出した際に前記伝熱管と係合することによって規制するものである。
【００１５】
この空気調和機の室外機では、保護網の離間を規制する構成を、フィンより強度が強い伝熱管を利用して実現することができる。
【００１６】
第５の発明に係る空気調和機の室外機は、前記スライド桟の先端部には、前記保護網と前記伝熱管とを固定するために前記伝熱管に嵌め込まれる嵌合固定部が設けられている。
【００１７】
この空気調和機の室外機では、保護網を引き出す際に嵌合固定部が伝熱管に嵌め込まれるから、保護網と伝熱管とを簡単な操作で固定することができる。
【００１８】
第６の発明に係る空気調和機の室外機は、前記スライド桟が前記保護網に複数設けられている。
【００１９】
この空気調和機の室外機では、熱交換器にはスライド桟を介して力が伝わるが、スライド桟を複数設けることによって、熱交換器にかかる力を分散させ、熱交換器の局部に大きな力が伝達し熱交換器が変形することを低減することができる。
【００２０】
第７の発明に係る空気調和機の室外機は、前記開口は前記ケーシングの側面に設けられており、前記スライド桟は、前記保護網の上下方向中央部より上方に設けられている。
【００２１】
この空気調和機の室外機では、保護網には下方へ向かう重力がかかるため、保護網の上方中央部より上方にスライド桟を設けると、保護網の転倒を防止しつつ円滑なスライドを実現することができる。さらに、保護網と熱交換器とを固定する場合は、より安定して固定することができる。
【００２２】
第８の発明に係る空気調和機の室外機は、前記スライド桟は、前記保護網の上下方向中央部より下方に更に設けられている。
【００２３】
この空気調和機の室外機では、保護網の上下方向中央部より下方にスライド桟を更に設けると、より安定且つ円滑なスライドを実現することができる。さらに、保護網と熱交換器とを固定する場合は、より確実に固定することができる。
【００２４】
第９の発明に係る空気調和機の室外機は、前記保護網には、当該保護網の端部に設けられて当該端部に沿った軸を中心に回転自在に設けられた側面網が設けられており、前記側面網は、前記保護網に積層配置可能であるとともに、前記保護網が前記開口から所定距離離間された状態で前記保護網の端部から前記開口に向かって延びて固定される。
【００２５】
この空気調和機の室外機では、側面網は、保護網が開口から所定距離離間された状態で前記保護網の端部から前記開口に向かって延びて固定されるので、保護網及び側面網により適切に保護網を保護すると共に、指等の熱交換器への接触を防止することによる安全性を確保することができる。
また、側面網は保護網に積層配置可能であるため、ケーシング内部に側面網を収納するスペースを省くことができる。
【００２６】
第１０の発明に係る空気調和機の室外機は、前記側面網は、前記保護網が前記開口から所定距離離間された状態で前記保護網の端部から前記開口の縁までを覆うように固定される。
【００２７】
この空気調和機の室外機では、側面網が保護網の端部からケーシングの開口の縁までを覆うように固定されることによって、側面網及び保護網により適切に熱交換器を保護する構成を実現することができる。
【００２８】
第１１の発明に係る空気調和機の室外機は、前記側面網の開口率は、前記保護網の開口率よりも小さく設定されている。
【００２９】
この空気調和機の室外機では、保護網より側面網の方がケーシング開口の近くに位置するので、保護網および側面網の開口率が同じであると、保護網より側面網を通過した指などが熱交換器に接触し易くなるため、側面網の開口率を保護網の開口率より小さくして、側面網により指などが熱交換器に接触することを確実に防止して熱交換器を適切に保護する構成と、保護網により熱交換器の性能を確保する構成とを両立することができる。
【発明の効果】
【００３０】
本発明は、以上説明した構成であるから、以下の効果が得られる。
【００３１】
第１の発明では、保護網に設けられるスライド桟がケーシングの内部に向かって延びて形成され、このスライド桟を伝熱管に支持された状態でスライド自在に構成しているため、新たなスライド機構を追加することなく、伝熱管をスライド機構の一部として有効利用して製品コストを抑制することができる。
また、スライド桟を伝熱管と接触しつつケーシングの内部から引き出すことにより保護網と開口との距離を変更自在に構成しているため、例えば指のみが保護網の網目を通過したとしても熱交換器に到達しないように、保護網と開口との距離を所定距離確保することができ、保護網の開口率を小さくすることによる熱交換器の性能の低下の回避と、指等の熱交換器への接触を防止することによる安全性の確保と、熱交換器の適切な保護とを両立することができる。
【００３２】
第２の発明では、熱交換器のフィンがスライド桟のスライド方向をガイドするため、保護網が引き出し時にぶれることを防止できるとともに、フィンをスライドのガイド機構として有効利用して製造コストを抑制することができる。
【００３３】
第３の発明では、保護網を引き出した際に規制部が熱交換器の一部と係合して、保護網が開口から所定距離以上離間することを規制するため、保護網を引き出す際に不意にスライド桟が熱交換器から抜けてしまうことを防止することができる。
【００３４】
第４の発明では、保護網の離間を規制する構成を、フィンより強度が強い伝熱管を利用して実現することができる。
【００３５】
第５の発明では、保護網を引き出す際に嵌合固定部が伝熱管に嵌め込まれるから、保護網と伝熱管とを簡単な操作で固定することができる。
【００３６】
第６の発明では、熱交換器にはスライド桟を介して力が伝わるが、スライド桟を複数設けることによって、熱交換器にかかる力を分散させ、熱交換器の局部に大きな力が伝達し熱交換器が変形することを低減することができる。
【００３７】
第７の発明では、保護網には下方へ向かう重力がかかるため、保護網の上方中央部より上方にスライド桟を設けると、保護網の転倒を防止しつつ円滑なスライドを実現することができる。さらに、保護網と熱交換器とを固定する場合は、より安定して固定することができる。
【００３８】
第８の発明では、保護網の上下方向中央部より下方にスライド桟を更に設けると、より安定且つ円滑なスライドを実現することができる。さらに、保護網と熱交換器とを固定する場合は、より確実に固定することができる。
【００３９】
第９の発明では、側面網は、保護網が開口から所定距離離間された状態で保護網の端部から開口に向かって延びて固定されるので、保護網及び側面網により適切に熱交換器を保護すると共に、指等の熱交換器への接触を防止することによる安全性を確保することができる。
また、側面網は保護網に積層配置可能であるため、ケーシング内部に側面網を収納するスペースを省くことができる。
【００４０】
第１０の発明では、側面網が保護網の端部からケーシングの開口の縁までを覆うように固定されることによって、側面網及び保護網により適切に熱交換器を保護する構成を実現することができる。
【００４１】
第１１の発明では、保護網より側面網の方がケーシング開口の近くに位置するので、保護網および側面網の開口率が同じであると、保護網より側面網を通過した指などが熱交換器に接触し易くなるため、側面網の開口率を保護網の開口率より小さくして、側面網により指などが熱交換器に接触することを確実に防止して熱交換器を適切に保護する構成と、保護網により熱交換器の性能を確保する構成とを両立することができる。
【図面の簡単な説明】
【００４２】
【図１】本発明の一実施形態に係る空気調和機の室外機の概略斜視図。
【図２】図１の示す室外機のＡ−Ａ箇所断面図。
【図３】図２に示す保護網及び側面網を略同一平面上に配置した状態を示す説明図。
【図４】図２に示す保護網のスライド桟の動作を示す概略断面図。
【図５】図２に示す保護網と熱交換器との係止部分を示す斜視図。
【図６】図２に示す保護網および側面網を積層配置した状態から箱形へ組み替える過程を表す斜視図。図６の（ａ）は、保護網と側面網が積層配置されている状態を示す斜視図。図６の（ｂ）は、積層配置した状態から箱形へ組み替え中である保護網および側面網を示す斜視図。
【図７】図２に示す保護網および側面網を積層配置した状態から箱形へ組み替える過程を表す斜視図であり、箱形の保護網および側面網を示す斜視図。
【図８】図８の（ａ）は、別の実施形態に係るスライド桟を示す概略断面図。図８の（ｂ）は、さらに別の実施形態に係るスライド桟を示す概略断面図。
【図９】さらに別の実施形態に係る保護網とスライド桟との配置状態を示す概略断面図。
【発明を実施するための形態】
【００４３】
以下、本発明に係る空気調和機の室外機について、図面を参照しつつ説明する。
【００４４】
本実施形態に係る空気調和機の室外機１は、室外に配置されており、室内に配置される室内機と共に室内の温度又は湿度を調節する空気調和機を構成するものである。空気調和機の室外機１は、略直方体形状のケーシング３と、このケーシング３の内部に収容されて外気と冷媒との熱交換を行う熱交換器２とを有している。熱交換器２は、複数のフィン２ａとフィン２ａを貫通し冷媒が流れる伝熱管２ｂとを有し、室内機の熱交換器（図示せず）との間を冷媒配管（図示せず）で連結されて、室外機及び室内機の両熱交換器の間を冷媒が循環可能に構成されている。
【００４５】
図２は、本実施形態の室外機１の前後上下方向の概略断面図である。図２に示すように、ケーシング３の一側面である後方側面には、後方に向かって開口する吸気用開口３ａが形成されている。熱交換器２は、吸気用開口３ａを塞ぐように、起立状態で吸気用開口３ａ近傍のケーシング３内部に配置され、その一部が吸気用開口３ａから露出している。また、ケーシング３の後方側面に対向する反対側側面である前方側面には、前方に向かって開口する排気用開口３ｂが形成されている。熱交換器２と排気用開口３ｂとの間のケーシング３内部には、熱交換器ファン４が配置されており、この熱交換器ファン４が駆動（回転）することによって、熱交換器２を介して吸気用開口３ａから外気が吸い込まれ、熱交換器２で冷媒と流入した外気との熱交換が行われ、排気用開口３ｂから吸い込まれた外気が排出される。
【００４６】
熱交換器２の後方には、熱交換器２及び吸気用開口３ａに対向した略平面の保護網１０が起立状態で配置されている。保護網１０の略平面の上方隅部には、ケーシング３内部に向かって延びて形成されたスライド桟１５が設けられている。スライド桟１５は、熱交換器２（特に水平方向に沿って配置された伝熱管２ｂの頂部）に支持された状態で前後方向をスライド方向としてスライド自在に構成されている。図２の（ａ）に示す例では、保護網１０と熱交換器２とが距離Ｄｓ分前後方向に離間しており、図２の（ｂ）に示す例では、保護網１０と熱交換器２とが、距離Ｄｓより長い距離Ｄｌ分前後方向に離間している。このように、スライド桟を熱交換器２に接触させつつスライドさせることによって、保護網１０と熱交換器２との間の距離（保護網１０と吸気用開口３ａとの距離ともいう）が変更可能に構成されている。
【００４７】
保護網１０は、図３に示すように、熱交換器２及び吸気用開口３ａに対向する略平面であり、保護網１０の上方、右方および左方の各端部に設けられた３つの略平面の側面網１２と、保護網１０の上方隅部に設けられた２つのスライド桟１５とを有している。保護網１０の端部と各側面網１２の端部とは、ヒンジ部１３によって保護網１０の各端部に沿った方向を中心軸として回転可能に連結されているので、側面網１２を回転させることによって、保護網１０及び側面網１２を積層配置した状態に組み替えたり、保護網１０及び側面網１２を互いに直交させて箱形に組み替えたりすることができる。
【００４８】
保護網１０及び側面網１２を箱形に組み替えたときにおいて、側面網１２の網目の大きさは、保護網１０側よりも熱交換器２及び吸気用開口３ａ側の端部の方が小さく設定されている。具体的には、指等が通り抜けない１０ｍｍ〜１５ｍｍ程度が好ましい。保護網１０の網目と、側面網１２の保護網１０側の網目は、上記よりも網目を大きくし、熱交換器２への外気の通気性を確保している。
【００４９】
なお、側面網１２は、その一部の網目を他部の網目よりも小さくしているが、側面網１２全体の網目の大きさを、保護網１０の網目の大きさよりも小さくしてもよい。また、側面網１２の網目を小さくするために、板金などの板を張り付けて、開口率を低くしても良い。また、図３に示すように、保護網１０及び側面網１２を箱形に組み替えたときにケーシング３に近接する側面網１２の下方隅部には、ケーシング３と係止して保護網１０を支持する支持部１６が設けられている。
【００５０】
図３及び図７に示すように、保護網１０及び側面網１２を箱形に組み替えたときにスライド桟１５に近接する側面網１２の隅部には、スライド桟１５に嵌合して側面網１２を固定するＣ字状の側面網固定部１４が形成されている。側面網固定部１４のＣ字は、ヒンジ部１３の回転軸（保護網１０の端部に沿った方向）を中心にスライド桟１５に向かって回転する方向（本実施形態では前方）に向かって開いているため、側面網１２をスライド桟１５に向かって回転させる動作によって、側面網固定部１４がスライド桟１５に嵌合して固定される。よって、保護網１０及び側面網１２を箱形へ組み替える動作と一体に側面網１２を固定することができる。
【００５１】
図４に示すように、スライド桟１５の先端部には、伝熱管２ｂに向かって開いている略Ｕ字状の規制部１５ａが設けられている。規制部１５ａは、伝熱管２ｂの頂部に接触しているスライド桟１５の先端を、下方に向かって曲げ、さらに伝熱管２ｂがある後方に向かって曲げることにより略Ｕ字状に形成されてなる。規制部１５ａの曲部は、伝熱管２ｂに係止した際に曲部全体が接触するように、その曲率を伝熱管２ｂの曲率とほぼ一致するように設定されており、保護網１０をスライドさせてケーシング３から引き出した際に、規制部１５ａが伝熱管２ｂと係止して、保護網１０が吸気用開口３ａから所定距離以上離間することを規制するものである。また、規制部１５ａの曲部の曲率と伝熱管２ｂの曲率とがほぼ一致するように設定されているため、両者がより確実に接触して離間を規制することができる。
【００５２】
さらに、規制部１５ａの先端部を、スライド桟１５との距離が伝熱管２ｂの直径よりも短く設定することによって、保護網１０をスライドさせてケーシング３から引き出した際に伝熱管２ｂに嵌め込まれる嵌合固定部１５ｂが形成されている。スライド桟１５との距離が伝熱管２ｂの直径よりも短く設定されていることにより、伝熱管２ｂと嵌合固定部１５ｂとが嵌合した後に、この嵌合の離脱を防止して、伝熱管２ｂとスライド桟１５を確実に固定するものである。
【００５３】
図５に示すように熱交換器２は、板状の各フィン２ａの広板面が前後方向に沿って、複数のフィン２ａが起立状態で左右方向に並列して配置されており、各フィン２ａ間が所定間隔で離間している。伝熱管２ｂはこれら複数のフィン２ａを水平方向に貫通して配置されている。スライド桟１５は、スライド方向である前後方向に沿って形成されたフィン２ａ同士の隙間に挿入され、伝熱管２ｂの頂部に接触している。このように、板状のフィン２ａの広板面をスライド方向に沿って配置し、フィン２ａ同士の隙間にスライド桟１５を挿入することにより、フィン２ａをスライド桟１５のスライド方向をガイドするように構成している。
【００５４】
次に、上記の保護網１０の動作について図６及び図７を用いて説明する。
保護網１０は、室外機１の輸送時や梱包時には、図６の（ａ）に示すように、３つの側面網１２を保護網１０の反スライド桟側である後方に積層配置した状態で、スライド桟１５をケーシング３に収容して保護網１０と熱交換器２とを近づけて両者の間を距離Ｄｓとし、側面網１２を収容するケーシング３内部空間を省いている。
【００５５】
次に、室外機１の輸送及び据付作業などが完了した場合に、保護網１０と側面網１２とを積層配置した状態で、スライド桟１５をケーシング３内部から後方へ向けて引き出し、スライド桟１５の嵌合固定部１５ｂを伝熱管２ｂに嵌め込み、スライド桟１５の規制部１５ａと伝熱管２ｂとを係止させて保護網１０の後方への離間を規制しつつ、保護網１０と熱交換器２とを固定し、両者の間を所定の距離Ｄｌとする。
【００５６】
次に、図６の（ｂ）に示すように、保護網１０の反スライド桟１５側である後方に積層配置された側面網１２を、各ヒンジ部１３を中心にスライド桟１５側である前方に回転させ、保護網１０及び３つの側面網１２とで略箱形の保護網１０に組み替える。
【００５７】
次に、図７に示すように、側面網１２の隅部に設けられたＣ字状の側面網固定部１４をスライド桟１５に嵌め込んで、保護網１０とスライド桟１５とを固定する。このように、簡単な作業で保護網１０を据え付けることが可能となる。側面網１２は、保護網１０が吸気用開口３ａから所定距離Ｄｌ離間された状態で、保護網１０の端部から吸気用開口３ａに向かって延びて固定されて、保護網１０の端部から吸気用開口３ａの縁までを覆っている。
【００５８】
以上のように、本実施形態に係る空気調和機の室外機１は、複数のフィン２ａ及び複数のフィン２ａを貫通する伝熱管２ｂを有する熱交換器２と、熱交換器２を収納し、かつ、熱交換器２に対して空気を流入する開口（吸気用開口３ａ）を有するケーシング３と、開口（吸気用開口３ａ）に対向した保護網１０とを備えてなり、保護網１０には、ケーシング３の内部に向かって延びて形成され、かつ、伝熱管２ｂに支持された状態でスライド自在なスライド桟１５が設けられており、スライド桟１５を伝熱管２ｂと接触しつつケーシング３の内部から引き出すことにより保護網１０と開口（吸気用開口３ａ）との距離を変更自在に構成されている。
【００５９】
この構成によれば、保護網１０に設けられるスライド桟１５がケーシング３の内部に向かって延びて形成され、このスライド桟１５を伝熱管２ｂに支持された状態でスライド自在に構成しているため、新たなスライド機構を追加することなく、伝熱管２ｂをスライド機構の一部として有効利用して製品コストを抑制することができる。
また、スライド桟１５を伝熱管２ｂと接触しつつケーシング３の内部から引き出すことにより保護網１０と開口（吸気用開口３ａ）との距離を変更自在に構成しているため、例えば指のみが保護網１０の網目を通過したとしても熱交換器２に到達しないように、保護網１０と開口（吸気用開口３ａ）との距離を所定距離確保することができ、保護網１０の開口率を小さくすることによる熱交換器２の性能の低下の回避と、指等の熱交換器２への接触を防止することによる安全性の確保とを両立することができる。
【００６０】
特に、スライド桟１５はフィン２ａ同士の間隙に挿入されており、スライド桟１５は、フィン２ａによりスライド方向がガイドされるように構成されているので、保護網１０が引き出し時にぶれることを防止できるとともに、フィン２ａをスライドのガイド機構として有効利用して製造コストを抑制することができる。
【００６１】
スライド桟１５の先端部には、保護網１０を引き出した際に熱交換器２の一部と係合して、保護網１０が開口（吸気用開口３ａ）から所定距離以上離間することを規制する規制部１５ａが設けられているので、保護網１０を引き出した際に規制部１５ａが熱交換器２の一部と係合して、保護網１０が開口（吸気用開口３ａ）から所定距離以上離間することを規制するため、保護網１０を引き出す際に不意にスライド桟１５が熱交換器２から抜けてしまうことを防止することができる。
【００６２】
規制部１５ａは、保護網１０を引き出した際に伝熱管２ｂと係合することによって規制するものであるので、保護網１０の離間を規制する構成を、フィン２ａより強度が強い伝熱管２ｂを利用して実現することができる。
【００６３】
スライド桟１５の先端部には、保護網１０と伝熱管２ｂとを固定するために伝熱管２ｂに嵌め込まれる嵌合固定部１５ｂが設けられているので、保護網１０を引き出す際に嵌合固定部１５ｂが伝熱管２ｂに嵌め込まれるから、保護網１０と伝熱管２ｂとを簡単な操作で固定することができる。
【００６４】
保護網１０には、保護網１０の端部に設けられて端部に沿った軸を中心に回転自在に設けられた側面網１２が設けられており、側面網１２は、保護網１０に積層配置可能であるとともに、保護網１０が開口（吸気用開口３ａ）から所定距離離間された状態で保護網１０と共に開口（吸気用開口３ａ）を覆うように固定されるので、保護網１０及び側面網１２により適切に開口（吸気用開口３ａ）を覆うことができ、指等の熱交換器２への接触を防止することによる安全性を確保することができる。
また、側面網１２は保護網１０に積層配置可能であるため、ケーシング３内部に側面網１２を収納するスペースを省くことができる。
【００６５】
側面網１２は、保護網１０が開口（吸気用開口３ａ）から所定距離離間された状態で保護網１０の端部から開口（吸気用開口３ａ）の縁までを覆うように固定されるので、側面網１２及び保護網１０により適切に開口を覆う構成を実現することができる。
【００６６】
側面網１２の開口率は、保護網１０の開口率よりも小さく設定されているので、保護網１０より側面網１２の方がケーシング３開口の近くに位置するので、保護網１０および側面網１２の開口率が同じであると、保護網１０より側面網１２を通過した指などが熱交換器２に接触し易くなるため、側面網１２の開口率を保護網１０の開口率より小さくして、側面網１２により指などが熱交換器２に接触することを確実に防止して熱交換器２を保護する構成と、保護網１０により熱交換器２の性能を確保する構成とを両立することができる。
【００６７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００６８】
例えば、上記の実施形態の室外機１のスライド桟１５は、その先端部に略Ｕ字状の規制部１５ａを設け、さらにその先端をスライド桟１５との距離を小さくして嵌合固定部１５ｂを設けているが、図８の（ａ）に示すように、他の実施形態の室外機のスライド桟１１５は、その先端部に嵌合固定部１５ｂを設けずに、Ｕ字形状の規制部１１５ａを設けたものであってもよい。
【００６９】
さらに別の実施形態の室外機のスライド桟２１５は、規制部２１５ａをＬ字状に形成している。このように、規制部（１５ａ、１１５ａ、２１５ａ）は、スライド桟（１５、１１５、２１５）をケーシング３から引き出す際に、熱交換器２（フィン２ａや伝熱管２ｂ）に係止するものであればよい。
【００７０】
上記の実施形態の室外機１の保護網１０は、略平面の保護網１０の上方の２つ隅部にスライド桟１５を設けていたが、さらに別の実施形態の室外機の保護網１０は、保護網１０の下方の２つの隅部にもスライド桟１５を設け、保護網１０の４つの隅部に設けた４つのスライド桟１５で熱交換器２と保護網１０とを固定している。このように、スライド桟１５が保護網１０に複数設けられていると、熱交換器２にはスライド桟１５を介して力が伝わるが、スライド桟１５を複数設けることによって、熱交換器２にかかる力を分散させ、熱交換器２の局部に大きな力が伝達し熱交換器２が変形することを低減することができる。スライド桟１５を設ける位置は、保護網１０のいずれの箇所であってもよいが、熱交換器２の前方には熱交換器ファン４が存在するので、この熱交換器ファン４へのスライド桟１５の接触を避けるためには、保護網１０の端部に設けるのが好ましい。
【００７１】
また、保護網１０において、上下方向中央部より上方である２つの隅部にスライド桟１５が設けられているので、保護網１０には下方へ向かう重力がかかるため、保護網１０の上方中央部より上方にスライド桟１５を設けると、保護網１０の転倒を防止しつつ円滑なスライドを実現することができる。さらに、保護網１０と熱交換器２とを固定する場合は、より安定して固定することができる。もちろん、スライド桟１５を設ける箇所は、保護網１０の隅部に限られない。
【００７２】
また、保護網１０において、上下方向中央部より下方である２つの隅部にスライド桟１５が更に設けられているので、より安定且つ円滑なスライドを実現することができる。さらに、保護網１０と熱交換器２とを固定する場合は、より確実に固定することができる。
【産業上の利用可能性】
【００７３】
本発明を利用すれば、製品コストを抑制しつつ、良好な熱交換器への通気性と、熱交換器の適切な保護とを両立した空気調和機の室外機を提供することができる。
【符号の説明】
【００７４】
１    空気調和機の室外機
２    熱交換器
２ａ  フィン
２ｂ  伝熱管
３    ケーシング
３ａ  吸気用開口
３ｂ  排気用開口
４    熱交換器ファン
１０  保護網
１２  側面網
１３  ヒンジ部
１４  側面網固定部
１５  スライド桟
１５ａ  規制部
１５ｂ  嵌合固定部
１６  支持部
【図１】
2010203720.tif 000003
【図２】
2010203720.tif 000004
【図３】
2010203720.tif 000005
【図４】
2010203720.tif 000006
【図５】
2010203720.tif 000007
【図６】
2010203720.tif 000008
【図７】
2010203720.tif 000009
【図８】
2010203720.tif 000010
【図９】
2010203720.tif 000011